【手続補正書】
【提出日】平成17年3月2日(2005.3.2)
【手続補正１】
【補正対象書類名】特許請求の範囲
【補正対象項目名】全文
【補正方法】変更
【補正の内容】
【特許請求の範囲】
【請求項１】
適合性のあるドナーシートと関連する使用のための熱転写印刷用受容体シートであって、該受容体シートは、関連づけられる適合性のあるドナーシートから熱的に転写される染料を受容するための受容層を含み、および剥離材料、接着促進材料および帯電防止材料をさらに含み、前記剥離材料、前記接着促進材料および前記帯電防止材料は、独立的に、該受容層の少なくとも１つの表面の少なくとも一部の上の皮膜として存在するか、あるいは該受容層中に存在することを特徴とする受容体シート。
【請求項２】
透明で印刷可能なオーバーラミネートとしての請求項１に記載の受容体シートの使用。
【請求項３】
請求項１に記載の１つまたは複数の受容体シートと、フィルム形成材料を含む裏地シートとを含むことを特徴とする積層型多層フィルム。
【請求項４】
適合性のあるドナーシートと関連する使用のための熱転写印刷受容体シートを製造するための方法であって、関連づけられる適合性のあるドナーシートから熱的に転写される染料を受容する受容層を形成する工程と、前記受容層中あるいは前記受容層の少なくとも一方の表面の少なくとも一部の上に、剥離材料、接着促進材料および帯電防止材料を提供する工程とを備えたことを特徴とする方法。
【手続補正２】
【補正対象書類名】明細書
【補正対象項目名】０１４２
【補正方法】変更
【補正の内容】
【０１４２】
次に、実施例１の手順に従って、被覆されたフィルムを加工し、積層型カードを作製した。次に、本明細書中に記載されるように、表面の塵、塵の捕捉および表面欠陥を検査した。次に、慣用の熱転写印刷技術を用いてカードに印刷し、前述のように評価した。加えて、印刷されたカードの画像の品質についても評価した。帯電防止成分を含む受容体シート被覆を有するカードが、この成分を持たないものよりも優れていた。
本出願は、以下の発明を包含する。
（１）  適合性のあるドナーシートと関連する使用のための熱転写印刷用受容体シートであって、該受容体シートは、関連づけられる適合性のあるドナーシートから熱的に転写される染料を受容するための受容層を含み、および剥離材料、接着促進材料および帯電防止材料をさらに含み、前記剥離材料、前記接着促進材料および前記帯電防止材料は、独立的に、該受容層の少なくとも１つの表面の少なくとも一部の上の皮膜として存在するか、あるいは該受容層中に存在することを特徴とする受容体シート。
（２）  ヘイズが３．５％未満であることを特徴とする請求項１に記載の受容体シート。
（３）  前記受容層が、ポリエチレンテレフタレートを含む支持体層を含むＡＢＡ多層構造を有し、前記支持体層は、第１および第２の染料受容層の間に配置されていることを特徴とする（１）または（２）に記載の受容体シート。
（４）  前記染料受容層は、６５〜８５モル％のエチレンテレフタレートと、３５〜１５モル％のエチレンイソフタレートとのコポリエステルを含むことを特徴とする（３）に記載の受容体シート。
（５）  前記剥離材料、前記接着促進材料、および前記帯電防止材料は、独立的に、受容層の少なくとも１つの表面の少なくとも一部の上の被膜として存在することを特徴とする（１）から（４）のいずれかに記載の受容体シート。
（６）  該受容体シートは、その第１の表面上に剥離材料、帯電防止材料および任意選択的に接着促進材料を含み、その第２の表面上に接着促進材料を含むことを特徴とする（１）から（５）のいずれかに記載の受容体シート。
（７）  該帯電防止材料は、アニオン性または中性であることを特徴とする（１）から（６）のいずれかに記載の受容体シート。
（８）  該帯電防止材料は、スチレンスルホン酸ナトリウムのホモポリマー（単数または複数）および／またはコポリマー（単数または複数）を含むことを特徴とする（１）から（７）のいずれかに記載の受容体シート。
（９）  該帯電防止材料は、ポリ（スチレンスルホン酸ナトリウム−無水マレイン酸）を含むことを特徴とする（１）から（８）のいずれかに記載の受容体シート。
（１０）  該剥離材料は、（ｉ）有機ポリイソシアネートと、（ii）イソシアネート反応性ポリジアルキルシロキサンと、（iii）ポリマーポリオールとの反応生成物であるポリウレタン樹脂であることを特徴とする（１）から（９）のいずれかに記載の受容体シート。
（１１）  該接着促進材料は、アクリルポリマー樹脂および／またはメタクリルポリマー樹脂を含むことを特徴とする（１）から（１０）のいずれかに記載の受容体シート。
（１２）  該接着促進材料は、エチルアクリレートおよびメチルメタクリレートを含むことを特徴とする（１１）に記載の受容体シート。
（１３）  接着促進材料は、架橋剤を含むことを特徴とする（１）から（１２）のいずれかに記載の受容体シート。
（１４）  該受容体シートの第１の表面は、該被覆の乾燥固形分の総重量に対して、約０．５〜約３質量％の量の剥離材料と；約０．１〜１．０質量％の量の帯電防止材料と；約１〜約４質量％の量の接着促進材料とを含むことを特徴とする（１）から（１３）のいずれかに記載の受容体シート。
（１５）  該受容体シートの第２の表面は、該被覆の乾燥固形分の総重量に対して、約２〜約４質量％の接着促進材料を含むことを特徴とする（１）から（１４）のいずれかに記載の受容体シート。
（１６）  該受容体シートの第２の表面上の接着促進材料はフタレートエステルを含むことを特徴とする（１）から（１５）のいずれかに記載の受容体シート。
（１７）  該受容体シートが：
（ｉ）ＡＢＡ構造を有する受容層であって、Ｂ層のポリマーが透明なＰＥＴ含有層であり、Ａ層が６５〜８５モル％のエチレンテレフタレートおよび３５〜１５モル％のエチレンイソフタレートのコポリエステルを含む透明な染料受容層である受容層と；
（ii）帯電防止材料、剥離材料、任意選択的に接着促進材料、および任意選択的に架橋剤を含む、該受容層の第１表面上の被膜と；
（iii）接着促進材料、架橋剤、およびフタレートエステルを含む、該受容層の第２表面上の被膜と
を含むことを特徴とする（１）から（１６）のいずれかに記載の受容体シート。
（１８）  透明で印刷可能なオーバーラミネートとしての（１）から（１７）のいずれかに記載の受容体シートの使用。
（１９）  （１）から（１７）のいずれかに記載の１つまたは複数の受容体シートと、フィルム形成材料を含む裏地シートとを含むことを特徴とする積層型多層フィルム。
（２０）  （１７）に記載の第１および第２の受容体シートと、裏地シートとを含み、前記受容体シートのフタレートエステル含有層が、該裏地シートの反対側の表面と接触するように配置されていることを特徴とする（１９）に記載の積層型多層フィルム。
（２１）  適合性のあるドナーシートと関連する使用のための熱転写印刷受容体シートを製造するための方法であって、関連づけられる適合性のあるドナーシートから熱的に転写される染料を受容する受容層を形成する工程と、前記受容層中あるいは前記受容層の少なくとも一方の表面の少なくとも一部の上に、剥離材料、接着促進材料および帯電防止材料を提供する工程とを備えたことを特徴とする方法。
（２２）  剥離材料、接着促進材料および帯電防止材料は、同一の被覆工程において、前記受容層の第１表面の少なくとも一部の上に塗布されることを特徴とする（２１）に記載の方法。